(57)【要約】【課題】  即時に表示されることが好ましい種別の画像であることを示す情報を付加した画像信号を外部表示装置に対して出力することができる電子機器を提供する。【解決手段】  画像信号を外部表示装置に対して出力する出力部と、前記出力部により出力された前記画像信号に対応する表示画像が前記外部表示装置に即時に表示されることが好ましい種別の画像信号であるか否かを判別する判別部と、前記種別に基づいて前記画像信号に付加して出力するコンテンツタイプの情報を切り替える切替部とを備える。【選択図】  図１
2012114879.tif 000002
【特許請求の範囲】
【請求項１】
画像信号を外部表示装置に対して出力する出力部と、
前記出力部により出力された前記画像信号に対応する表示画像が前記外部表示装置に即時に表示されることが好ましい種別の画像信号であるか否かを判別する判別部と、
前記種別に基づいて前記画像信号に付加して出力するコンテンツタイプの情報を切り替える切替部と
を備えることを特徴とする電子機器。
【請求項２】
画像信号を外部表示装置に対して出力する出力部と、
前記出力部により出力された前記画像信号に対応する前記外部表示装置に表示された表示画像を撮像する撮像部と、
前記画像信号に付加して出力するコンテンツタイプの情報を切り替えながら前記撮像部により取得した撮像画像に基づいて表示特性の測定を行う測定部と
を備えることを特徴とする電子機器。
【請求項３】
前記出力部により出力された前記画像信号に対応する前記外部表示装置に表示された表示画像を撮像する撮像部と、
前記画像信号に付加して出力するコンテンツタイプの情報を切り替えながら前記撮像部により取得した撮像画像に基づいて表示特性の測定を行う測定部と
を備え、
前記切替部は、前記測定部による測定結果に基づいて前記コンテンツタイプの情報を切り替えることを特徴とする請求項１記載の電子機器。
【請求項４】
前記測定部は、前記出力部により前記画像信号が出力された出力時点と前記画像信号に対応する前記表示画像との間の時間差を示す遅延量を測定し、前記出力部は、前記外部表示装置に即時に表示されることが好ましい種別の画像信号である場合には、前記遅延量が最も少ないコンテンツタイプの情報を付加して前記画像信号を出力することを特徴とする請求項２または３記載の電子機器。
【請求項５】
前記測定部による測定結果に基づいて、前記外部表示装置における前記表示特性と前記コンテンツタイプの情報とを関連付けて記録媒体に記録させる記録制御部を備えることを特徴とする請求項２〜４の何れか一項に記載の撮像装置。
【請求項６】
前記出力部は、経時変化するパターン画像の画像信号を出力することを特徴とする請求項１〜５の何れか一項に記載の電子機器。
【請求項７】
前記出力部は、ＨＤＭＩインターフェースを介して前記外部表示装置に対して前記画像信号を出力することを特徴とする請求項１〜６の何れか一項に記載の電子機器。
【請求項８】
ユーザにより前記画像信号に付加して出力するコンテンツタイプの情報の切替指示を行う操作部を備えることを特徴とする請求項１〜７の何れか一項に記載の電子機器。
【請求項９】
前記外部表示装置に即時に表示されることが好ましい種別の画像信号は、ライブビュー画像の画像信号であることを特徴とする請求項１〜８の何れか一項に記載の電子機器。
【発明の詳細な説明】
【技術分野】
【０００１】
本発明は、電子機器に関するものである。
【背景技術】
【０００２】
ＨＤＭＩ（High Definition Multimedia Interface）等のデジタルインタフェースを用いて表示装置に対して画像信号を出力するデジタルカメラが知られている（例えば、特許文献１参照）。このデジタルカメラにおいて画像信号を表示装置に対して出力すると、表示装置において画像信号に基づいて動画であるか静止画であるかを判定し、判定結果に基づいて動画及び静止画のそれぞれに適した画像処理を行い画像信号に基づく画像の表示を行っている。
【先行技術文献】
【特許文献】
【０００３】
【特許文献１】特開２０１０−４５５３号公報
【発明の概要】
【発明が解決しようとする課題】
【０００４】
しかし、このデジタルカメラの画像信号の出力においては、画像信号が出力されてから表示装置において画像が表示されるまでの遅延時間が考慮されていないため、ライブビュー画像やゲームの画像等、出力されてから即時に表示されることが好ましい画像の表示には適していなかった。
【０００５】
本発明の目的は、即時に表示されることが好ましい種別の画像であることを示す情報を付加した画像信号を外部表示装置に対して出力することができる電子機器を提供することである。
【課題を解決するための手段】
【０００６】
本発明に係る電子機器は、画像信号を外部表示装置に対して出力する出力部と、前記出力部により出力された前記画像信号に対応する表示画像が前記外部表示装置に即時に表示されることが好ましい種別の画像信号であるか否かを判別する判別部と、前記種別に基づいて前記画像信号に付加して出力するコンテンツタイプの情報を切り替える切替部とを備えることを特徴とする。
【０００７】
また、本発明に係る電子機器は、画像信号を外部表示装置に対して出力する出力部と、前記出力部により出力された前記画像信号に対応する前記外部表示装置に表示された表示画像を撮像する撮像部と、前記画像信号に付加して出力するコンテンツタイプの情報を切り替えながら前記撮像部により取得した撮像画像に基づいて表示特性の測定を行う測定部とを備えることを特徴とする。
【発明の効果】
【０００８】
本発明に係る電子機器によれば、即時に表示されることが好ましい種別の画像であることを示す情報を付加した画像信号を外部表示装置に対して出力することができる。
【図面の簡単な説明】
【０００９】
【図１】本発明の実施の形態に係るカメラのシステム構成を示すブロック図である。
【図２】本発明の実施の形態に係るテレビのシステム構成を示すブロック図である。
【図３】本発明の実施の形態に係るカメラのテレビに対する画像信号出力処理を示すフローチャートである。
【図４】本発明の実施の形態に係るカメラの遅延時間測定処理を示すフローチャートである。
【図５】本発明の実施の形態に係るカメラの遅延時間測定処理を示すフローチャートである。
【図６】本発明の実施の形態に係るカメラから出力されるテストパターンの画像信号に対応する表示画像を示す図である。
【図７】本発明の実施の形態に係るカメラから出力されるテストパターンの画像信号に対応する表示画像を示す図である。
【図８】本発明の実施の形態に係るカメラの遅延時間測定処理後のテレビに対する画像信号出力処理を示すフローチャートである。
【図９】本発明の実施の形態に係るカメラから出力されるテストパターンの画像信号に対応する表示画像を示す図である。
【発明を実施するための形態】
【００１０】
以下、図面を参照して本発明の第１の実施の形態に係る電子機器についてカメラを例に説明する。図１は実施の形態に係るカメラのシステム構成を示すブロック図である。カメラ２はＣＰＵ４を備え、ＣＰＵ４にはレリーズ指示の操作を受け付けるレリーズボタン６、メニュー操作における選択キー及び決定キー等を備える操作部材８、画像処理ＭＣＵ１２、ＣＣＤ或いはＣＭＯＳ等により構成され図示しない撮影レンズを介した被写体光を撮像して撮像信号（蓄積電荷としてのアナログ信号）を生成する撮像素子２４、画像データやテレビのコンテンツタイプ毎の遅延時間を記録するメモリカード３４を接続するカードスロット３２、画像処理ＭＣＵ１２の動作設定に関するデータや遅延時間測定の際に用いるテストパターンの画像データ、後述のフローチャート（図３〜５及び図８参照）に示す処理に対応するプログラム等ＣＰＵ４が実行する各種プログラムを記憶するＦＬＡＳＨ  ＲＯＭ３６、撮像素子２４から出力されたアナログの画像信号に対してＡ／Ｄ変換を行うことにより生成されたデジタルの画像データを一時的に記憶するＲＡＭ３８、メモリカード３４に記憶された静止画または動画の画像データに基づく画像や撮像素子２４から出力される撮影信号に基づく画像であるライブビュー画像、各種設定メニュー画面に対応する信号を再生表示または出力する表示出力回路４０、ＨＤＭＩ（Ｈｉｇｈ−Ｄｅｆｉｎｉｔｉｏｎ Ｍｕｌｔｉｍｅｄｉａ Ｉｎｔｅｒｆａｃｅ）規格に基づいて画像信号、音声信号、情報パケットに対応する信号（以下、情報パケット）を出力するＨＤＭＩ出力部４４が接続されている。
【００１１】
ＣＰＵ４は、操作部材８を構成する各操作部による操作を検知し、検知した結果に応じた処理を実行する。ＣＰＵ４はレリーズボタン６の操作を検知した場合に、撮像素子２４により適正露光時間の間露光させるよう制御する。撮像素子２４による露光により得られたアナログの撮像信号はデジタル信号に変換され、画像処理ＭＣＵ１２に出力される。ＣＰＵ４の指示により、画像処理ＭＣＵ１２は入力されたデジタルの画像信号に対し、色補間処理、ホワイトバランス調整処理、符号圧縮処理等の画像処理を施し記録用の画像データを生成させる。このように生成された記録用の画像データは、ＣＰＵ４の指示により、メモリカード３４に形成された所定のフォルダ内に記録される。
【００１２】
また、表示出力回路４０には、ＨＤＭＩ出力部４４、カメラ２に備えられたＬＣＤ表示部４６が接続され、ＨＤＭＩ出力部４４にはテレビ５０等の外部表示装置との接続を有線により行うコネクタ４８が接続されている。ここで、ＨＤＭＩ出力部４４は、ＨＤＭＩ接続された外部機器へコネクタ４８を介して電気的な信号（情報）を送信する機能を備える。
【００１３】
図２は本発明の実施の形態に係るテレビのシステム構成を示すブロック図である。テレビ５０は、ＣＰＵ５４を備え、ＣＰＵ５４にはＤＴＶ（デジタルテレビ）プロセッサ５６、音声処理部５８、画像処理部６０、電気的な信号（情報）を受信する受信部６２、ユーザによる入力操作を受け付ける操作部６４、コンテンツタイプに対応した表示モードや後述するフローチャート（図４及び図５参照）に示す処理に対応するプログラム等の各種制御プログラムを記憶するＲＯＭ６８、制御処理に用いるデータを一時的に記憶するＲＡＭ７０、音声出力制御部７７、ＬＣＤ制御部８４、ＢＬ（バックライト）制御部８８が接続されている。
【００１４】
チューナ７２により、図示しないアンテナを介して地上デジタル波等の放送信号を受信すると、復調器７４により放送信号を復調する。復調された放送信号はＤＴＶプロセッサ５６に入力される。ＤＴＶプロセッサ５６は、放送信号を音声処理部５８に対して出力する音声信号と画像処理部６０に対して出力する画像信号に分けてＣＰＵ５４に入力する。ＣＰＵ５４は、音声信号を音声処理部５８に対して出力し、画像信号を画像処理部６０に対して出力する。また、放送信号のうち音声信号、画像信号ではない情報の信号をＣＰＵ５４に対して出力する。
【００１５】
また、受信部６２は、コネクタ７６を介して入力された信号をＣＰＵ５４に対して出力する。ＣＰＵ５４は、入力された信号をＤＴＶプロセッサ５６に出力する。ＤＴＶプロセッサ５６は入力された信号を音声信号と画像信号に分けてＣＰＵ５４に入力する。ＣＰＵ５４は、音声信号を音声処理部５８に対して出力し、画像信号を画像処理部６０に対して出力する。
【００１６】
音声処理部５８は入力された音声信号に対する処理を行い、音声出力制御部７７の制御によりスピーカ７８から音声信号に基づく音声が出力される。また、画像処理部６０は入力された画像信号に対して画像処理を行い、画像信号に基づく画像をＬＣＤ制御部８４によりＬＣＤパネル８６に表示する。ここで、音声出力制御部７７は、スピーカ７８により出力される音声とＬＣＤパネル８６に表示される画像とのタイミングを考慮した音声の出力制御を行う。また、ＬＣＤパネル８６に画像を出力している間はＬＣＤパネル８６の明るさを保つために、ＢＬ制御部８８はＢＬ９０の点灯を行う。
【００１７】
ＨＤＭＩ規格においては、カメラ２のＣＰＵ４からテレビ５０に対して画像信号、音声信号の他に情報パケットが出力される。カメラ２のＣＰＵ４から出力される情報パケットのうち、ＡＶＩ  ＩｎｆｏＦｒａｍｅのコンテンツタイプを示す情報により、テレビ５０における表示モードを指定することができる。ここで、コンテンツタイプとしては、ゲームの表示に適したコンテンツタイプである「ゲーム」、映画鑑賞に適したコンテンツタイプである「シネマ」、写真等の静止画鑑賞に適したコンテンツタイプである「フォト」、文字の表示に適したコンテンツタイプである「グラフィック」及び前述のコンテンツタイプを指定しない「Ｎｏ  Ｄａｔａ」が挙げられる。
【００１８】
テレビ５０においては、コンテンツタイプを示す情報が「ゲーム」であるときにはＣＰＵ５４は、カメラ２のＨＤＭＩ出力部４４により画像信号が出力された出力時点とＬＣＤパネル８６における画像信号に対応する表示画像との間の時間差を示す遅延時間が少ない表示モードである「ゲームモード」をＲＯＭ６８から読み出し、コンテンツタイプを示す情報が「シネマ」であるときにはＣＰＵ５４は映画館を想定し色温度を下げる等の画像処理を行って映像を表示する表示モードである「映画モード」をＲＯＭ６８から読み出し、コンテンツタイプを示す情報が「フォト」であるときにはＣＰＵ５４は高画質の映像をＬＣＤパネル８６に表示する表示モードである「写真モード」をＲＯＭ６８から読み出し、コンテンツタイプを示す情報が「グラフィック」であるときにはＣＰＵ５４は文字を明確に表示するためのコントラスト調整を行う表示モードである「グラフィックモード」をＲＯＭ６８から読み出す。そして、ＣＰＵ５４はＬＣＤ制御部８４を制御してＲＯＭ６８から読み出した表示モードで画像をＬＣＤパネル８６に表示させる。また、コンテンツタイプを示す情報が「Ｎｏ  Ｄａｔａ」であることをＣＰＵ５４が判断した場合には予め設定された標準の表示モードである「デフォルトモード」をＲＯＭ６８から読み出し画像の表示を行う。なお、これらの表示モードの名称とそれらのモードに対応する表示の形態は一例であり、これらの名称に限定されるものではない。
【００１９】
ここで、「映画モード」においては、テレビ５０のＣＰＵ５４は画像処理部６０を制御して元の画像に対して色温度を変える画像処理を行い、「グラフィックモード」においては、テレビ５０のＣＰＵ５４は画像処理部６０を制御して元の画像に対して文字を明確にする処理を行い、「写真モード」においては、テレビ５０のＣＰＵ５４は画像処理部６０を制御して元の画像に対してノイズリダクション処理を行う。一方、「ゲームモード」においては、テレビ５０のＣＰＵ５４は色温度を変える画像処理やノイズリダクション処理等を行わないため、他のモードでの表示と比較して遅延時間を少なくすることができる。ただし、これらのモードとこれらのモードに対する画像処理の種類は一例であり、テレビ５０のＣＰＵ５４は画像処理部６０を制御してこれらのモードにおいて他の種類の画像処理を行ってもよい。
【００２０】
また、一般的なテレビにおいて動画を表示する際には、補間処理が行われる。例えば、テレビ５０においては、ＣＰＵ５４は画像処理部６０を制御して連続するフレーム間に補間画像を挿入する補間処理等を行い、動画をスムーズに見せるような処理を行う。なお、「ゲームモード」においてはテレビ５０のＣＰＵ５４は補間処理を省略してもよく、この場合には、遅延時間の発生量を抑制することができる。
【００２１】
次に、図３に示すフローチャートを参照して実施の形態に係るカメラのテレビに対する画像信号出力処理について説明する。この画像信号出力処理は、ＣＰＵ４がＦＬＡＳＨ  ＲＯＭ３６から対応するプログラムを読み出し実行することにより行われる。
【００２２】
ユーザがカメラ２の操作部材８を用いてＬＣＤ表示部４６にメニュー画面を表示させ、ＨＤＭＩ規格に基づいた外部表示装置への画像及び音声の出力が選択されたとＣＰＵ４が判定すると、ＣＰＵ４はカメラ２とテレビ５０がコネクタ４８及びコネクタ７６を介してＨＤＭＩ接続が行われているか否かを判定する（ステップＳ１）。ＨＤＭＩ接続が行われていると判定した場合には、ＣＰＵ４はテレビ５０へ出力する画像信号が、即時に表示されることが好ましいライブビュー画像の画像信号であるか否かを判定する（ステップＳ２）。一方、ステップＳ１においてＨＤＭＩ接続が行われていないと判定した場合には、ステップＳ１に示す処理を再度行いＨＤＭＩ接続が行われているか否かを判定する。
【００２３】
出力する画像信号がライブビュー画像であると判定した場合には（ステップＳ２）、ＣＰＵ４はＨＤＭＩ規格の情報パケットにおけるＡＶＩ  ＩｎｆｏＦｒａｍｅのコンテンツタイプの情報を遅延時間が最も少ないと推測される「ゲーム」として画像信号に付加し、テレビ５０に対して出力する（ステップＳ３）。テレビ５０においては、コネクタ７６を介して画像信号を受信すると、ＣＰＵ５４は、ＲＯＭ６８に記憶された表示モードとコンテンツタイプの対応関係を参照し、受信した画像信号に付加されているコンテンツタイプを示す情報に対応する表示モードを判定する。ＣＰＵ５４は、コンテンツタイプが「ゲーム」であると判定した場合に対応する表示モードである「ゲームモード」を読み出し、「ゲームモード」による表示を行う。
【００２４】
一方、ＣＰＵ４は出力する画像信号がメモリカード３４に記憶された画像データに基づく静止画等のライブビュー画像以外の画像信号であると判定した場合には（ステップＳ２）、コンテンツタイプを示す情報を「フォト」として画像信号に付加し、テレビ５０に対して出力する（ステップＳ４）。なお、カメラ２においては、ライブビュー画像以外の画像信号を出力する場合には、撮像画像の画像データ等の静止画を出力する場合が多いためコンテンツタイプを示す情報を「フォト」としている。テレビ５０においては、コネクタ７６を介して画像信号を受信すると、ＣＰＵ５４は、ＲＯＭ６８に記憶された表示モードとコンテンツタイプの対応関係を参照し、受信した画像信号に付加されているコンテンツタイプを示す情報に対応する表示モードを判定する。ＣＰＵ５４は、コンテンツタイプが「フォト」であると判定した場合に、対応する表示モードである「写真モード」を読み出し、「写真モード」による表示を行う。
【００２５】
次に、図４及び図５に示すフローチャートを参照して実施の形態に係るカメラの出力に対するテレビにおける表示の遅延時間測定処理について説明する。この遅延時間測定処理は、カメラ２においてはＣＰＵ４がＦＬＡＳＨ  ＲＯＭ３６から対応するプログラムを読み出し実行することにより、テレビ５０においてはＣＰＵ５４がＲＯＭ６８から対応するプログラムを読み出し実行することによりそれぞれ行われる。
【００２６】
ユーザがカメラ２の操作部材８を用いてＬＣＤ表示部４６にメニュー画面を表示させ、カメラ２のＨＤＭＩ出力部４４から画像信号が出力された出力時点と出力された画像信号に対応する表示画像との間の時間差を示す遅延量を測定する遅延時間測定モードが選択されたとＣＰＵ４が判定すると、ＣＰＵ４はカメラ２とテレビ５０がコネクタ４８及びコネクタ７６を介してＨＤＭＩ接続が行われているか否かを判定する（ステップＳ１１）。ＨＤＭＩ接続が行われていないと判定した場合には、ステップＳ１１に示す処理を再度行いＨＤＭＩ接続が行われているか否かを判定する。
【００２７】
一方、ＨＤＭＩ接続が行われていると判定した場合には、ＣＰＵ４はＦＬＡＳＨ  ＲＯＭ３６から確認用のテストパターンを読み出しＨＤＭＩ出力部４４を介してテレビ５０に対して確認用のテストパターンの画像信号を出力する（ステップＳ１２）。このとき、テレビ５０においては受信部６２を介して受信した確認用のテストパターンの画像信号に対応する表示画像をＬＣＤパネル８６に表示する。
【００２８】
次に、ＣＰＵ４は「テレビにカメラを向けてください」等、テレビ５０に表示された確認用のテストパターンの画像を撮像するためのメッセージを表示する（ステップＳ１３）。ここで、メッセージはカメラ２のＬＣＤ表示部４６に表示してもよいし、ＨＤＭＩ出力部４４を介してメッセージを示す映像信号をテレビ５０に対して出力することによりテレビ５０に表示してもよい。
【００２９】
次に、ＣＰＵ４はライブビュー撮影を開始し、ライブビュー撮影により取得された画像を解析し、テレビ５０に表示された確認用のテストパターンがカメラ２の撮影画角に収まっているか否かを判定する（ステップＳ１４）。例えば、確認用のテストパターンの画像信号に対応する表示画像は、画面全体にパターンを描くような画像、画面の四隅にパターンを描くような画像、画面の四辺にパターンを描くような画像が好ましい。ＣＰＵ４は、カメラ２により撮影された画像内にこのようなパターンの全領域を認識した場合には、確認用のテストパターンが撮影画角に収まっていると判定し、このようなパターンの少なくとも一部の領域を認識しない場合には、確認用のテストパターンがカメラ２の画角に収まっていないと判定する。確認用のテストパターンがカメラ２の画角に収まっていないと判定した場合には、ステップＳ１４に示す処理を確認用のテストパターンがカメラ２の画角に収まるまで繰り返す。
【００３０】
確認用のテストパターンがカメラ２の画角に収まっていると判定した場合には、ＣＰＵ４はライブビュー撮影を終了すると共に測定開始のメッセージを表示し（ステップＳ１５）、ユーザによる遅延時間測定開始指示が行われたか否かを判定する（ステップＳ１６）。遅延時間測定開始指示が行われない場合には遅延時間測定開始指示が行われるまで待機する。ここで、ステップＳ１５における測定開始のメッセージは、カメラ２のＬＣＤ表示部４６に表示してもよいし、ＨＤＭＩ出力部４４を介してメッセージを示す映像信号をテレビ５０に対して出力することによりテレビ５０に表示してもよい。例えば、この遅延時間測定開始指示の操作は、レリーズボタン８を操作することにより行われる。
【００３１】
ＣＰＵ５４は、遅延時間測定開始指示の操作がされたと判定すると、遅延時間測定開始指示が行われたと判定し（ステップＳ１６）、ＣＰＵ４はＨＤＭＩ出力部４４を介してテレビ５０に対してＡＶＩ  ＩｎｆｏＦｒａｍｅのコンテンツタイプの情報を「Ｎｏ  Ｄａｔａ」とした情報パケットを出力する（ステップＳ１７）。このとき、テレビ５０においてはＣＰＵ５４がＲＯＭ６８に記憶された表示モードとコンテンツタイプの対応関係を参照する。そして、コンテンツタイプを示す情報が「Ｎｏ  Ｄａｔａ」である場合に対応する表示モードである「デフォルトモード」を読み出し、「デフォルトモード」による表示を行う旨の設定をする。
【００３２】
次に、カメラ２のＣＰＵ４は、ＨＤＭＩ出力部４４を介してテレビ５０に対して遅延時間測定用のテストパターンの画像信号の出力を開始し（ステップＳ１８）、出力開始から３秒後等、所定時間経過後にテレビ５０のＬＣＤパネル８６に表示される遅延時間測定用のテストパターンの画像信号に対応する表示画像の撮像を開始する（ステップＳ１９）。
【００３３】
ここで、カメラ２は例えば、１フレーム毎に変化するテストパターンの画像信号を出力し、テレビ５０に表示されるテストパターンの画像信号に対応する表示画像をライブビュー撮影することによりテレビ５０に表示される画像を監視する。ＣＰＵ４は例えば５秒間等、所定時間ライブビュー撮影を行うことにより撮像画像を取得し、テレビ５０に表示されている表示画像が現在出力しているテストパターンの何フレーム前のテストパターンの画像であるかを判定し、判定結果に基づいてコンテンツタイプを示す情報が「Ｎｏ  Ｄａｔａ」である場合の遅延時間を測定する（ステップＳ１９）。なお、遅延時間測定用のテストパターンにおけるフレームレート（あるフレームを表示させてから次のフレームに切り替割るまでの時間）は固定されているものとする。
【００３４】
ＣＰＵ４は、文字を認識、ブロックの長さを認識、または上述の所定のフレームレートを有する確認用のテストパターンを認識することにより遅延時間を測定する。
【００３５】
文字を認識することにより遅延時間を測定する場合には、テストパターンとして例えば、図６に示すように文字を示す画像を用いる。この場合には、１フレーム目に「１」を示す画像の画像信号を出力し、２フレーム目に「２」を示す画像の画像信号を出力し、３フレーム目に「３」を示す画像の画像信号を出力し、カメラ２においてはＣＰＵ４は文字認識機能を用いて数字を認識する。ＣＰＵ４は、取得した撮像画像に基づいてテレビ５０に表示されている表示画像が、現在出力しているテストパターンの何フレーム前のテストパターンを示す画像であるかを判定し、遅延時間を求める。
【００３６】
また、ブロックの長さを認識することにより遅延時間を測定する場合には、テストパターンとして図７に示すように所定の長さの基準ブロックを表示する画像を用いる。この場合には、全フレームにおいて基準ブロック９２及び伸長ブロック９４を表示し、フレーム数が多くなる毎に伸長ブロック９４が所定の長さ伸長する画像信号を出力し、カメラ２においては、ＣＰＵ４は基準ブロック９２を基準として伸長ブロック９４の長さを認識する。ＣＰＵ４は、取得した撮像画像に基づいてテレビ５０に表示されている表示画像が、現在出力しているテストパターンの何フレーム前のテストパターンを示す画像であるかを判定し、遅延時間を求める。コンテンツモードを示す情報が「Ｎｏ  Ｄａｔａ」である場合の遅延時間を測定すると、ステップＳ１８に示す処理で開始した遅延時間測定用のテストパターンの映像信号の出力及びステップＳ１９に示す処理で開始したライブビュー撮影を終了する（ステップＳ２１）。
【００３７】
次に、ＣＰＵ４はＨＤＭＩ出力部４４を介してテレビ５０に対してＡＶＩ  ＩｎｆｏＦｒａｍｅのコンテンツタイプの情報を「ゲーム」とした情報パケットを出力する（ステップＳ２２）。このとき、テレビ５０においてはＣＰＵ５４がＲＯＭ６８に記憶された表示モードとコンテンツタイプの対応関係を参照する。そして、コンテンツタイプを示す情報が「ゲーム」である場合に対応する表示モードである「ゲームモード」を読み出し、「ゲームモード」による表示を行う旨の設定をする。
【００３８】
次に、カメラ２のＣＰＵ４は、ＨＤＭＩ出力部４４を介してテレビ５０に対して遅延時間測定用のテストパターンの画像信号の出力を開始し（ステップＳ２３）、出力開始から３秒後等、所定時間経過後にテレビ５０にＬＣＤパネル８６に表示されるテストパターンの映像信号に対応する表示画像の撮像を開始する（ステップＳ２４）。次にステップＳ２０に示す処理と同様にコンテンツモードを示す情報が「ゲーム」である場合の遅延時間を測定する（ステップＳ２５）。
【００３９】
コンテンツモードを示す情報が「ゲーム」である場合の遅延時間を測定すると、ステップＳ２３に示す処理で開始した遅延時間測定用のテストパターンの映像信号の出力及びステップＳ２４に示す処理で開始したライブビュー撮影を終了する（ステップＳ２６）。
【００４０】
次に、ＣＰＵ４はＨＤＭＩ出力部４４を介してテレビ５０に対してＡＶＩ  ＩｎｆｏＦｒａｍｅのコンテンツタイプの情報を「フォト」とした情報パケットを出力する（ステップＳ２７）。このとき、テレビ５０においてはＣＰＵ５４がＲＯＭ６８に記憶された表示モードとコンテンツタイプの対応関係を参照する。そして、コンテンツタイプを示す情報が「フォト」である場合に対応する表示モードである「写真モード」を読み出し、「写真モード」による表示を行う旨の設定をする。
【００４１】
次に、カメラ２のＣＰＵ４は、ＨＤＭＩ出力部４４を介してテレビ５０に対して遅延時間測定用のテストパターンの画像信号の出力を開始し（ステップＳ２８）、出力開始から３秒後等、所定時間経過後にテレビ５０にＬＣＤパネル８６に表示されるテストパターンの映像信号に対応する表示画像の撮像を開始する（ステップＳ２９）。次に、ステップＳ２０に示す処理と同様にコンテンツモードを示す情報が「フォト」である場合の遅延時間を測定する（ステップＳ３０）。コンテンツモードを示す情報が「フォト」である場合の遅延時間を測定すると、遅延時間測定用のテストパターンの映像信号の出力及びライブビュー撮影を終了する（ステップＳ３１）。
【００４２】
次に、ＣＰＵ４はＨＤＭＩ出力部４４を介してテレビ５０に対してＡＶＩ  ＩｎｆｏＦｒａｍｅのコンテンツタイプの情報を「シネマ」とした情報パケットを出力する（ステップＳ３２）。このとき、テレビ５０においてはＣＰＵ５４がＲＯＭ６８に記憶された表示モードとコンテンツタイプの対応関係を参照する。そして、コンテンツタイプを示す情報が「シネマ」である場合に対応する表示モードである「映画モード」を読み出し、「映画モード」による表示を行う旨の設定をする。
【００４３】
次に、カメラ２のＣＰＵ４は、ＨＤＭＩ出力部４４を介してテレビ５０に対して遅延時間測定用のテストパターンの画像信号の出力を開始し（ステップＳ３３）、出力開始から３秒後等、所定時間経過後にテレビ５０にＬＣＤパネル８６に表示されるテストパターンの映像信号に対応する表示画像の撮像を開始する（ステップＳ３４）、ステップＳ２０に示す処理と同様にコンテンツモードを示す情報が「シネマ」である場合の遅延時間を測定する（ステップＳ３５）。コンテンツモードが「シネマ」である場合の遅延時間を測定すると、遅延時間測定用のテストパターンの映像信号の出力及びライブビュー撮影を終了する（ステップＳ３６）。
【００４４】
次に、ＣＰＵ４はＨＤＭＩ出力部４４を介してテレビ５０に対してＡＶＩ  ＩｎｆｏＦｒａｍｅのコンテンツタイプの情報を「グラフィック」とした情報パケットを出力する（ステップＳ３７）。このとき、テレビ５０においてＣＰＵ５４はＲＯＭ６８からコンテンツタイプを示す情報が「グラフィック」である場合に対応する表示モードである「グラフィックモード」を読み出し、「グラフィックモード」による表示を行う旨の設定をする。
【００４５】
次に、カメラ２のＣＰＵ４は、ＨＤＭＩ出力部４４を介してテレビ５０に対して遅延時間測定用のテストパターンを示す映像信号の出力を開始し（ステップＳ３８）、出力開始から３秒後等、所定時間経過後にテレビ５０にＬＣＤパネル８６に表示される画像の撮像を開始し（ステップＳ３９）、ステップＳ２０に示す処理と同様にコンテンツモードを示す情報が「グラフィック」である場合の遅延時間を測定する（ステップＳ４０）。コンテンツモードを示す情報が「グラフィック」である場合の遅延時間を測定すると、遅延時間測定用のテストパターンの映像信号の出力及びライブビュー撮影を終了する（ステップＳ４１）。
【００４６】
次に、ＣＰＵ４は各コンテンツタイプにおける遅延時間をそれぞれメモリカード３４に記録する（ステップＳ４２）。ここで、ライブビュー画像からテレビ５０の機種名が文字認識やパターン認識等により取得可能な場合には、機種名に対応付けて各コンテンツタイプにおける遅延時間をメモリカード３４に記録する。なお、テレビ５０の受信部６２から出力された情報をカメラ２が受信可能である場合には、カメラ２のＣＰＵ４はＨＤＭＩ接続によりテレビ５０の機種名の情報を取得し、機種名の情報と各コンテンツタイプにおける遅延時間とを関連付けてメモリカード３４に記憶させてもよい。また、複数の機種について遅延時間の測定を行った場合には、機種名に対応付けた各コンテンツタイプにおける遅延時間を記録することによりデータベースを構築してもよい。
【００４７】
次に、図８に示すフローチャートを参照して遅延時間測定後のカメラのテレビに対する出力処理について説明する。この出力処理は、ＣＰＵ４がＦＬＡＳＨ  ＲＯＭ３６から対応するプログラムを読み出し実行することにより行われる。
【００４８】
ユーザがカメラ２の操作部材８を用いてＬＣＤ表示部４６に表示された画面を参照してメニュー操作によりＨＤＭＩ規格による外部表示装置への映像及び音声の出力が選択されたとＣＰＵ４が判定すると、ＣＰＵ４はカメラ２とテレビ５０がコネクタ４８及びコネクタ７６を介してＨＤＭＩ接続が行われているか否かを判定する（ステップＳ５１）。ＨＤＭＩ接続が行われていると判定した場合には、ＨＤＭＩ接続が行われているテレビ５０の遅延時間を既に測定したか否か判定する（ステップＳ５２）。一方、ステップＳ５１においてＨＤＭＩ接続が行われていないと判定した場合には、ステップＳ５１に示す処理を行い再度ＨＤＭＩ接続が行われているか否かを判定する。
【００４９】
ステップＳ５２においてＣＰＵ４は、テレビ５０の遅延時間を既に測定したと判定した場合には、ＣＰＵ４はテレビ５０へ出力する画像信号がライブビュー画像の画像信号であるか否かを判定する（ステップＳ５４）。ここで、メモリカード３４にテレビ５０の機種名の情報と各コンテンツタイプにおける遅延時間とを関連付けて記憶されている場合やデータベースにテレビ５０の機種名に対応付けた各コンテンツタイプにおける遅延時間が記憶されている場合には、ＣＰＵ４はテレビ５０の遅延時間を既に測定したと判定する。
【００５０】
ステップＳ５２においてテレビ５０の遅延時間を未だ測定していないと判定した場合には、図４及び図５に示す遅延時間測定処理を行い（ステップＳ５３）、ステップＳ５４に示す処理を行う。
【００５１】
ステップＳ５４において、出力する画像信号がライブビュー画像の画像信号であると判定した場合には、遅延時間測定処理において最も遅延時間が少なかったコンテンツタイプをＨＤＭＩ規格の情報パケットにおけるＡＶＩ  ＩｎｆｏＦｒａｍｅのコンテンツタイプの情報を画像信号に付加してテレビ５０に対して出力する（ステップＳ５５）。
【００５２】
一方、出力する画像信号がライブビュー画像以外の画像信号であると判定した場合には（ステップＳ５４）、コンテンツタイプを示す情報を「フォト」として画像信号に付加してテレビ５０に対して出力する（ステップＳ５６）。
【００５３】
本実施の形態に係るカメラによれば、即時に表示されることが好ましい種別の画像であることを示す情報を付加した画像信号を外部表示装置に対して出力することができる。
【００５４】
なお、上述の実施の形態の図８に示すフローチャートのステップＳ５２の処理においてテレビ５０の遅延時間を未だ測定していないと判定した場合には、図４及び図５に示す遅延時間測定処理を行う構成として説明したが、遅延時間を未だ測定していない場合に図３に示すカメラのテレビに対する出力処理を行ってもよい。即ち、遅延時間を未だ測定していない場合であっても遅延時間測定処理を行わずに、出力する画像信号がライブビュー画像の画像信号である場合には、遅延時間が最も少ないと推定されるコンテンツタイプの情報を画像信号に付加して出力する。例えば、図３に示すように出力する画像信号がライブビューの画像信号である場合には付加するコンテンツタイプの情報を「ゲーム」とし、ライブビュー画像以外の画像信号である場合には付加するコンテンツタイプの情報を「フォト」とする。
【００５５】
また、上述の実施の形態においては、テレビ５０の表示部をＬＣＤパネル８６として説明したが、有機ＥＬパネルやプラズマディスプレイパネルであってもよい。
【００５６】
また、上述の実施の形態において、遅延時間測定に用いるテストパターンとして文字または基準ブロックを用いる構成を例に説明したが、テストパターンとして基準色を用いる構成としてもよい。この場合には、図９に示すように全フレームにおいて基準色ブロック９６を出力し、フレーム毎に基準色ブロック９６以外の領域９８において色が変化するテストパターンを出力する。例えば、カメラ２のＣＰＵ４は白色及び黒色の基準色ブロック９６をＨＤＭＩ出力部４４を介してテレビ５０に対して出力し、領域９８においては１フレーム目において赤、２フレーム目において緑、３フレーム目において青を表示する表示画像となるようにカメラ２のＣＰＵ４はテレビ５０に対してテストパターンの画像信号の出力を行う。カメラ２においては、ライブビュー撮影により取得した撮像画像に基づいて基準色ブロック９６の色を基準として領域９８の色を認識する。ＣＰＵ４は、ライブビュー画像に基づいてテレビ５０に表示されている表示画像が、現在出力しているテストパターンの何フレーム前のテストパターンを示す画像であるかを判定し、遅延時間を求める。
【００５７】
また、上述の実施の形態においては、カメラ２から画像信号が出力された出力時点とテレビ５０における画像信号に対応する表示画像との間の時間差を示す遅延時間を測定する構成として説明したが、ＣＰＵ４により、テレビ５０にＡＶアンプ等の外部機器が接続されていると判定された場合には、ＣＰＵ４は、テレビ及びその外部機器からなるテレビシステムとカメラ２との間での遅延時間を測定する処理を実行する構成としてもよい。
【００５８】
また、上述の実施の形態の図４及び図５に示すフローチャートにおいて、コンテンツタイプを切り替えながら遅延時間の測定処理を行う際にコンテンツタイプを「Ｎｏ  Ｄａｔａ」、「ゲーム」、「フォト」、「シネマ」、「グラフィック」の順序で切り替える構成を説明したが、コンテンツタイプを切り替える順序は任意でありどのような順序でもよい。
【００５９】
また、上述の実施の形態においては、カメラにおいて即時に表示されることが好ましい種別の画像信号としてライブビュー画像の画像信号を出力する構成を例に説明したが、即時に表示されることが好ましい種別の画像信号として例えば、ゲーム機においてゲームの画像信号を出力する構成としてもよい。
【００６０】
また、上述の実施の形態においては、テストパターンの画像信号をテレビ５０に出力し遅延時間を測定する構成を例に説明したが、テストパターンの画像信号に対応する表示画像の解像度を測定する構成としてもよい。この場合には、図４及び図５に示す処理と同様に、カメラ２のＣＰＵ４は、ＨＤＭＩ出力部４４を介してテレビ５０にテストパターンの画像信号をコンテンツタイプの情報を切り替えながら出力する。また、カメラ２は表示されたテストパターンに対応する表示画像をライブビュー撮影し、ＣＰＵ４は取得した撮像画像に基づいてテレビ５０に表示される表示画像の解像度をコンテンツタイプ毎に測定する。そして、ＣＰＵ４はＨＤＭＩ出力部４４を介して測定結果を反映した画像信号を出力することにより、カメラ２から出力される画像信号に対応する表示画像を高画質でテレビ５０に表示することができる。
【００６１】
また、上述の実施の形態においては、カメラ２とテレビ５０等の外部表示装置との接続を有線により行う構成としたが、カメラ２とテレビ５０等の外部装置との接続を無線により行ってもよい。
【符号の説明】
【００６２】
２…カメラ、４…ＣＰＵ、１２…画像処理ＭＣＵ、２４…撮像素子、３４…メモリカード、４０…表示出力回路、４４…ＨＤＭＩ出力部、５０…テレビ、５４…ＣＰＵ、５６…ＤＴＶプロセッサ、６０…画像処理部、６２…受信部
【図１】
2012114879.tif 000003
【図２】
2012114879.tif 000004
【図３】
2012114879.tif 000005
【図４】
2012114879.tif 000006
【図５】
2012114879.tif 000007
【図６】
2012114879.tif 000008
【図７】
2012114879.tif 000009
【図８】
2012114879.tif 000010
【図９】
2012114879.tif 000011